(57)【要約】      （修正有）【課題】フロートディフューザーを容器内に収容した液面に常に浮かんだ状態とすることができ、確実に、フロートディフューザーから水粒子、芳香成分粒子、または、その両方の粒子をミスト状に発生させることができるディフューザーを提供する。【解決手段】容器１２の側周壁１４に配設したコイル部材１６、容器１２に内蔵したコイル部材１６、または、容器１２の外側に配置したコイル部材１６からの誘電によって、フロートディフューザー２２の誘電コイル部材を介して、超音波発振素子を振動させて、フロートディフューザー２２の複数の孔が形成されたミスト部３４から、微細な水粒子、芳香成分粒子、または、その両方の粒子をミスト状に発生させるように構成した。【選択図】図１
2015028404.tif 000002
【特許請求の範囲】
【請求項１】
液体を収容するための容器と、
前記液体を収容した容器内に浮かべて、液体に含まれる水粒子、芳香成分粒子、または、その両方の粒子をミスト状に発生させるフロートディフューザーを備え、
前記フロートディフューザーが、
液体にフロートディフューザーを浮かべるためのフロート部材と、
前記フロート部材に配置されたミスト発生部を備えており、
前記ミスト発生部が、
微細な複数の孔が形成された膜板状のミスト部と、超音波発振素子本体とを備えた超音波発振素子と、
前記超音波発振素子と電気的に接続された誘電コイル部材とを備え、
前記容器の側周壁に配設したコイル部材、容器に内蔵したコイル部材、または、容器の外側に配置したコイル部材からの誘電によって、前記フロートディフューザーの誘電コイル部材を介して、超音波発振素子を振動させて、フロートディフューザーから微細な水粒子、芳香成分粒子、または、その両方の粒子をミスト状に発生させるように構成したことを特徴とするディフューザー。
【請求項２】
前記フロートディフューザーが、前記フロート部材の中央に貫通孔が形成されたリング形状であって、
前記フロート部材の貫通孔と接するように、前記超音波発振素子の複数の孔が形成されたミスト部が配置されるように構成されていることを特徴とする請求項１に記載のディフューザー。
【請求項３】
前記コイル部材に対して高周波を発信する高周波発生装置が、容器に内蔵されているか、または、外部からコイル部材に対して接続可能に構成されていることを特徴とする請求項１から２のいずれかに記載のディフューザー。
【請求項４】
前記フロートディフューザーが、照明用のＬＥＤ、または、動作確認用のＬＥＤを備えていることを特徴とする請求項１から３のいずれかに記載のディフューザー。
【発明の詳細な説明】
【技術分野】
【０００１】
本発明は、例えば、コップ、カップ、深皿、ツボなどの容器に、水、アロマ（芳香）成分を含んだ溶液などの液体を収容した状態で、容器内に浮かべた超音波発振素子（超音波振動子）を組み込んだフロートディフューザーに、容器の側周壁に配設したコイル部材、容器に内蔵したコイル部材、または、容器の外側に配置したコイル部材からの誘電によって、超音波発振素子を振動させて、フロートディフューザーから微細な水粒子、芳香成分粒子、または、その両方の粒子をミスト状に発生させるディフューザーに関する。
【背景技術】
【０００２】
従来、この種の加湿装置としては、特許文献１（韓国特許第１０−１２２８５９８号公報）に開示されるような携帯型のリング形状のディフューザーが提案されている。
【０００３】
すなわち、図７、図８に示したように、特許文献１のディフューザー１００は、ディフューザー本体１０２を備えている。このディフューザー本体１０２は、吸入穴１０４が形成され、水などの液体Ａを収容したカップや容器Ｃ内で浮かぶように構成された下側本体１０６を備えている。
【０００４】
また、ディフューザー本体１０２は、この下側本体１０６の内部の吸入穴１０４の上側に配置され、超音波振動によって、吸入穴１０４から流入した水と芳香成分を、微細な水粒子と芳香成分粒子に変換して、上側に排出することができるように複数の微細穴１０８が形成された超音波発振素子１１０を備えている。
【０００５】
さらに、ディフューザー本体１０２は、下側本体１０６の上側に配置され、超音波発振素子１１０で変換された微細な水粒子と芳香成分粒子を、ディフューザー１００の外部に排出することができるように、貫通穴１１２が形成された上側本体１１４を備えている。
【０００６】
そして、ディフューザー１００には、超音波発振素子１１０に連結されて、外側に延長されて、その終端にはＵＳＢ端子１１６が備えられたケーブル１１８が備えられている。
【０００７】
このように構成される特許文献１のディフューザー１００では、ＵＳＢ端子１１６をパソコンや電源に接続することによって、複数の微細穴１０８が形成された超音波発振素子１１０を振動させる。
【０００８】
これにより、下側本体１０６の吸入穴１０４から流入した水と芳香成分を、微細な水粒子と芳香成分粒子に変換して、上側本体１１４の貫通穴１１２を介して外部に排出するようになっている。
【先行技術文献】
【特許文献】
【０００９】
【特許文献１】韓国特許第１０−１２２８５９８号公報
【発明の概要】
【発明が解決しようとする課題】
【００１０】
このような特許文献１のディフューザー１００では、ＵＳＢ端子１１６が備えられたケーブル１１８が超音波発振素子１１０に連結され、ディフューザー本体１０２にこのケーブル１１８が接続された状態となっている。
【００１１】
従って、コップなどの溶液Ｃに収容した液体に、ディフューザー１００のディフューザー本体１０２を浮かべようとした際に、このケーブル１１８が邪魔になって、操作がし難いことにもなる。
【００１２】
また、ケーブル１１８により、ディフューザー本体１０２が沈んでしまったり、液面より浮いた状態となって、微細な水粒子と芳香成分粒子が発生しないこともあった。また、使用などによって、液面が下降した際、または、容器内に液体を追加した際にも、液面の上下動に追随することがなく、微細な水粒子と芳香成分粒子が発生しないこともあった。
【００１３】
本発明は、このような現状に鑑み、従来のディフューザーのようにディフューザー本体に連結されたケーブルが不要で邪魔にならず、フロートディフューザーを容器内に収容した液面に常に浮かんだ状態とすることができ、確実に、フロートディフューザーから水粒子、芳香成分粒子、または、その両方の粒子をミスト状に発生させることができるディフューザーを提供することを目的とする。
【課題を解決するための手段】
【００１４】
本発明は、前述したような従来技術における課題及び目的を達成するために発明されたものであって、本発明のディフューザーは、
液体を収容するための容器と、
前記液体を収容した容器内に浮かべて、液体に含まれる水粒子、芳香成分粒子、または、その両方の粒子をミスト状に発生させるフロートディフューザーを備え、
前記フロートディフューザーが、
液体にフロートディフューザーを浮かべるためのフロート部材と、
前記フロート部材に配置されたミスト発生部を備えており、
前記ミスト発生部が、
微細な複数の孔が形成された膜板状のミスト部と、超音波発振素子本体とを備えた超音波発振素子と、
前記超音波発振素子と電気的に接続された誘電コイル部材とを備え、
前記容器の側周壁に配設したコイル部材、容器に内蔵したコイル部材、または、容器の外側に配置したコイル部材からの誘電によって、前記フロートディフューザーの誘電コイル部材を介して、超音波発振素子を振動させて、フロートディフューザーから微細な水粒子、芳香成分粒子、または、その両方の粒子をミスト状に発生させるように構成したことを特徴とする。
【００１５】
このように構成することによって、容器の側周壁に配設したコイル部材、容器に内蔵したコイル部材、または、容器の外側に配置したコイル部材からの誘電によって、フロートディフューザーの誘電コイル部材を介して、超音波発振素子を振動させて、超音波発振素子の複数の孔が形成されたミスト部から微細な水粒子、芳香成分粒子、または、その両方の粒子をミスト状に発生させることができる。
【００１６】
しかも、フロートディフューザーには、従来のディフューザーのように、ディフューザー本体に連結されたケーブルが不要で邪魔にならない。
【００１７】
また、使用などによって、液面が下降した際、または、容器内に液体を追加した際にも、液面の上下動に追随することができる。
【００１８】
従って、フロートディフューザーのミスト部を、容器内に収容した溶液に常に浮かんで液面に接した状態とすることができ、確実に、フロートディフューザーのミスト部から水粒子、芳香成分粒子、または、その両方の粒子をミスト状に発生させることができる。
【００１９】
また、本発明のディフューザーは、
前記フロートディフューザーが、前記フロート部材の中央に貫通孔が形成されたリング形状であって、
前記フロート部材の貫通孔と接するように、前記超音波発振素子の複数の孔が形成されたミスト部が配置されるように構成されていることを特徴とする。
【００２０】
このように構成することによって、フロート部材の貫通孔と接するように、超音波発振素子の複数の孔が形成されたミスト部が配置されるので、水、または、芳香成分を含んだ溶液が、フロート部材の貫通孔を介して、超音波発振素子の複数の孔が形成されたミスト部に浸入することになる。
【００２１】
そして、超音波発振素子が振動した際に、この超音波発振素子の複数の孔が形成されたミスト部において、水粒子、芳香成分粒子、または、その両方の粒子をミスト状に確実に発生させることができる。
【００２２】
また、本発明のディフューザーは、前記コイル部材に対して高周波を発信する高周波発生装置が、容器に内蔵されているか、または、外部からコイル部材に対して接続可能に構成されていることを特徴とする。
【００２３】
このように、コイル部材に対して高周波を発信する高周波発生装置が、容器に内蔵されているか、または、外部からコイル部材に対して接続可能に構成されていても良い。
【００２４】
また、本発明のディフューザーは、前記フロートディフューザーが、照明用のＬＥＤ、または、動作確認用のＬＥＤを備えていることを特徴とする。
【００２５】
このように構成することによって、フロートディフューザーが、照明用のＬＥＤ、または、動作確認用のＬＥＤを備えているので、動作の確認ができるとともに、ディフューザーを照明のない夜間において使用する場合に、フロートディフューザーが光って見え、誤って容器を転倒したりすることがなく、極めて便利である。
【００２６】
また、照明用のＬＥＤ、または、動作確認用のＬＥＤの光によって、フロートディフューザー、容器、および、容器に収容した溶液が光って綺麗であり、セラピー効果も奏することができる。
【発明の効果】
【００２７】
本発明によれば、フロート部材の貫通孔と接するように、超音波発振素子の複数の孔が形成された部分が配置されるので、フロート部材の貫通孔を介して、水、または、芳香成分を含んだ溶液が、フロート部材の貫通孔を介して、超音波発振素子の複数の孔が形成されたミスト部に浸入することになる。
【００２８】
そして、超音波発振素子が振動した際に、この複数の孔が形成されたミスト部において、水粒子、芳香成分粒子、または、その両方の粒子をミスト状に確実に発生させることができる。
【図面の簡単な説明】
【００２９】
【図１】図１は、本発明のディフューザーを説明する概略図である。
【図２】図２は、本発明のディフューザーのフロートディフューザーの構造を示す斜視図である。
【図３】図３は、フロートディフューザーのミスト発生部の構造を示す斜視図である。
【図４】図４は、本発明の別の実施例のディフューザーのフロートディフューザーの構造を示す斜視図である。
【図５】図５は、図４のフロートディフューザーのミスト発生部の構造を示す斜視図である。
【図６】図６は、本発明の別の実施例のディフューザーの図１と同様な概略図である。
【図７】図７は、従来のディフューザーを説明する概略図である。
【図８】図２は、、従来のディフューザーの構造を示す分解斜視図である。
【発明を実施するための形態】
【００３０】
以下、本発明の実施の形態（実施例）を図面に基づいてより詳細に説明する。
【実施例１】
【００３１】
図１は、本発明のディフューザーを説明する概略図、図２は、本発明のディフューザーのフロートディフューザーの構造を示す斜視図、図３は、フロートディフューザーのミスト発生部の構造を示す斜視図である。
【００３２】
図１において、符号１０は、全体で本発明のディフューザーを示している。
【００３３】
図１に示したように、本発明のディフューザー１０は、液体を収容するめの容器１２を備えている。
【００３４】
なお、この実施例では、容器１２として、コップを示しているが、容器としては、何らこれに限定されるものではなく、例えば、カップ、深皿、ツボなどの公知の液体を収容できる容器を用いることができる。
【００３５】
また、この実施例では、容器１２として、コップを示しており、上方が大気中に解放された容器であるが、例えば、発生したミストを鑑賞用に使用する場合には、容器１２を密閉容器から構成することもできる。
【００３６】
また、容器１２の材質としては、後述するようにコイル部材１６による誘電を阻害しない材料から構成することができ、例えば、ガラス、合成樹脂、セラミック、木材などを用いることができる。さらに、容器１２は、透明であっても、半透明であっても、不透明であっても良い。
【００３７】
そして、容器１２には、例えば、水、アロマ（芳香）成分を含んだ溶液などの液体Ａを収容することができるようになっている。なお、この液体Ａの種類についても、後述するように、フロートディフューザー２２の超音波発振素子３０の振動によって、ミスト状の粒子を発生できるものであれば、何ら限定されるものではない。
【００３８】
図１に示したように、容器１２の側周壁１４には、コイル部材１６が配設されている。このコイル部材１６を容器１２の側周壁１４に配設する方法としては、特に限定されるものではなく、例えば、容器１２の側周壁１４の周囲に、透明プリントなどによってプリント印刷する方法、または、コイルを巻き付ける方法によって設ける方法、容器１２の側周壁１４の内部に、例えば、一体成形によって設ける方法など公知の方法を採用することができる。
【００３９】
また、図１に示したように、このコイル部材１６の一端には、コイル部材１６に対して、例えば、１．７ＭＨｚ程度の周波数の高周波を発信する高周波発生装置１８が接続されている。
【００４０】
なお、この高周波発生装置１８は、図１に示したように、外部からコイル部材１６に対して、例えば、接続端子を介して、電気的に接続可能に構成されている。
【００４１】
しかしながら、図示しないが、高周波発生装置１８は、容器１２の内部、例えば、容器１２の下部に内蔵するように構成することも可能である。
【００４２】
さらに、図１に示したように、高周波発生装置１８は、例えば、接続端子を介して、電源２０に電気的に接続可能に構成されている。
【００４３】
この場合、電源２０としては、特に限定されるものではなく、例えば、家庭用コンセント、電池（充電電池を含む）、ＵＳＢ、自動車のシガープラグからの電源、および、ＡＣアダプター、ソーラー電源など、公知の電源を採用することができる。
【００４４】
なお、この電源２０についても、図示しないが、容器１２の内部、例えば、容器１２の下部に内蔵するように構成することも可能である。
【００４５】
一方、図１に示したように、本発明のディフューザー１０は、液体Ａを収容した容器１２内に浮かべて使用するフロートディフューザー２２を備えている。
【００４６】
また、フロートディフューザー２２は、この実施例では、略リング形状であり、同じく略リング形状のフロート部材２４を備えている。
【００４７】
なお、このフロート部材２４の材質としては、特に限定されるものではなく、コイル部材１６による誘電を阻害しない材料で、液体Ａにおいて、フロートディフューザー２２が浮かぶような浮力を有する材料から構成することができ、例えば、合成樹脂、セラミック、木材などを用いることができる。さらに、フロート部材２４は、透明であっても、半透明であっても、不透明であっても良い。
【００４８】
また、この実施例の場合、図２、図３に示したように、フロート部材２４の内部に、ミスト発生部２６を備えている。ミスト発生部２６は、略円盤形状であって、膜板状の超音波発振素子３０を備えている。
【００４９】
そして、図２、図３に示したように、超音波発振素子３０は、リング形状の圧電素子からなる超音波発振素子本体３２と、フロート部材２４の中央に設けられた貫通孔２８に対応する（接する）ように形成された、複数の孔（図示せず）が形成された膜板状のミスト部３４とを備えている。
【００５０】
また、この超音波発振素子３０の外周部には、超音波発振素子本体３２と電気的に接続された誘電コイル部材３６を備えている。
【００５１】
なお、このミスト部３４は、圧電素子からなる超音波発振素子本体３２とは、別の材質、例えば、合成樹脂、ゴム部材、セラミック部材などからなる別部材で構成することもできるが、超音波発振素子本体３２とミスト部３４とを一体の圧電材料から構成することもできる。また、ミスト部３４は、多孔質部材から構成することもできる。
【００５２】
なお、この実施例では、フロート部材２４の内部に、ミスト発生部２６を備えているように構成したが、図示しないが、例えば、フロート部材２４の上方に接するように、ミスト発生部２６を設けることも可能である。
【００５３】
このように構成することによって、フロート部材２４の貫通孔２８と接するように、超音波発振素子３０の複数の孔が形成されたミスト部３４が配置されるので、水、または、芳香成分を含んだ液体Ａが、フロート部材２４の貫通孔２８を介して、超音波発振素子３０の複数の孔が形成されたミスト部３４に浸入することになる。
【００５４】
これにより、容器１２の側周壁１４に配設したコイル部材１６、容器１２に内蔵したコイル部材１６、または、容器の外側に配置したコイル部材１６からの誘電によって、フロートディフューザー２２の誘電コイル部材３６を介して、超音波発振素子３０を振動させて、超音波発振素子３０の複数の孔が形成されたミスト部３４から、微細な水粒子、芳香成分粒子、または、その両方の粒子をミスト状に発生させることができる。
【００５５】
しかも、フロートディフューザー２２には、従来のディフューザーのように、ディフューザー本体に連結されたケーブルが不要で邪魔にならない。
【００５６】
また、使用などによって、液面Ｂが下降した際、または、容器１２内に液体Ａを追加した際にも、液面Ｂの上下動に追随することができる。
【００５７】
従って、フロートディフューザー２２のミスト部３４を、容器１２内に収容した液体Ａに常に浮かんで液面Ｂに接した状態とすることができ、確実に、フロートディフューザー２２のミスト部３４から、水粒子、芳香成分粒子、または、その両方の粒子をミスト状に発生させることができる。
【実施例２】
【００５８】
図４は、本発明の別の実施例のディフューザーのフロートディフューザーの構造を示す斜視図、図５は、図４のフロートディフューザーのミスト発生部の構造を示す斜視図である。
【００５９】
この実施例のディフューザー１０のフロートディフューザー２２は、実施例１に示したディフューザー１０のフロートディフューザー２２と基本的には同様な構成であり、同一の構成部材には、同一の参照番号を付して、その詳細な説明を省略する。
【００６０】
この実施例のフロートディフューザー２２では、図４、図５に示したように、フロートディフューザー２２は、略お椀形状である。
【００６１】
また、図４に示したように、ミスト発生部２６には、照明用のＬＥＤ、または、動作確認用のＬＥＤからなるＬＥＤ３８を備えている。
【００６２】
なお、この実施例では、図５に示したように、対角線上に２個のＬＥＤ３８を備えるようにしたが、このＬＥＤ３４の数、配置位置などは、適宜変更することができる。
【００６３】
このように構成することによって、フロートディフューザー２２が、照明用のＬＥＤ、または、動作確認用のＬＥＤから構成されるＬＥＤ３８を備えているので、動作の確認ができるとともに、ディフューザー１０を照明のない夜間において使用する場合に、フロートディフューザー２２が光って見え、誤って容器１２を転倒したりすることがなく、極めて便利である。
【００６４】
また、照明用のＬＥＤ、または、動作確認用のＬＥＤから構成されるＬＥＤ３８の光によって、フロートディフューザー２２、容器１２、および、容器に収容した液体Ａが光って綺麗であり、セラピー効果も奏することができる。
【実施例３】
【００６５】
図６は、本発明の別の実施例のディフューザーの図１と同様な概略図である。
【００６６】
この実施例のディフューザー１０は、実施例１に示したディフューザー１０のディフューザー１０と基本的には同様な構成であり、同一の構成部材には、同一の参照番号を付して、その詳細な説明を省略する。
【００６７】
この実施例のディフューザー１０では、図６に示したように、コイル部材１６を、容器１２の外側に配置した別体の円筒形状のコイル部４０の側周壁４２に、実施例１と同様に設けて、容器１２は、通常の容器１２を用いるようにした点が相違する。
【００６８】
このように構成することによって、容器１２としては、様々な種類、形状の通常の容器１２を用いることができ、極めて便利である。
【００６９】
以上、本発明の好ましい実施の態様を説明してきたが、本発明はこれに限定されることはなく、例えば、上記実施例では、フロートディフューザー２２は、略リング形状でとしたが、この形状は、特に限定されるものではなく、例えば、矩形形状、球状など様々な形状とすることができる。
【００７０】
また、上記実施例では、フロートディフューザー２２のフロート部材２４の中央に設けられた貫通孔２８に対応する中心部分に、一つのミスト部３４を設けたが、図示しないが、リング部分にも、複数のミスト部３４を設けることも可能である。
【００７１】
さらに、上記実施例では、一つのフロートディフューザー２２を、容器１２に収容した液体Ａに浮かべるようにしたが、複数のフロートディフューザー２２を、容器１２に収容した液体Ａに浮かべるようにすることも可能であるなど本発明の目的を逸脱しない範囲で種々の変更が可能である。
【産業上の利用可能性】
【００７２】
本発明は、例えば、コップ、カップ、深皿、ツボなどの容器に、水、アロマ（芳香）成分を含んだ溶液などの液体を収容した状態で、容器内に浮かべた超音波発振素子（超音波振動子）を組み込んだフロートディフューザーに、容器の側周壁に配設したコイル部材、容器に内蔵したコイル部材、または、容器の外側に配置したコイル部材からの誘電によって、超音波発振素子を振動させて、フロートディフューザーから微細な水粒子、芳香成分粒子、または、その両方の粒子をミスト状に発生させるディフューザーである。
【符号の説明】
【００７３】
１０    ディフューザー
１２    容器
１４    側周壁
１６    コイル部材
１８    高周波発生装置
２０    電源
２２    フロートディフューザー
２４    フロート部材
２６    ミスト発生部
２８    貫通孔
３０    超音波発振素子
３２    超音波発振素子本体
３４    ミスト部
３６    誘電コイル部材
３８    ＬＥＤ
４０    コイル部
４２    側周壁
１００    ディフューザー
１０２    ディフューザー本体
１０４    吸入穴
１０６    下側本体
１０８    微細穴
１１０    超音波発振素子
１１２    貫通穴
１１４    上側本体
１１６    ＵＳＢ端子
１１８    ケーブル
Ａ    液体
Ｂ    液面
Ｃ    容器
【図１】
2015028404.tif 000003
【図２】
2015028404.tif 000004
【図３】
2015028404.tif 000005
【図４】
2015028404.tif 000006
【図５】
2015028404.tif 000007
【図６】
2015028404.tif 000008
【図７】
2015028404.tif 000009
【図８】
2015028404.tif 000010